(57)【要約】【課題】走行機体の側方に設けた施肥ノズルを地中に進入させて肥料を施肥する畑作用の歩行型施肥機において、メンテナンス作業や施肥作業終了時に肥料タンク内に残っている肥料を抜き取る際の作業性を向上させる。【解決手段】走行機体１１の上部に設けた肥料タンク１６の下方にポンプ３１，３１への分岐配管部３４を設け、該分岐配管部３４に屈曲自在なドレンホース３５を連結すると共に、このドレンホース３５を起立姿勢Ｃにした時、その先端の排出口３５ａが肥料タンク１６上部の肥料投入口１６ａよりも高くなるように構成した【選択図】図３
2008278808.tif 000002
【特許請求の範囲】
【請求項１】
走行機体（１１）の側方に昇降駆動する施肥ノズル（２５，２５）を備え、この施肥ノズル（２５，２５）を地中に進入させた時、走行機体（１１）の上部に設けた肥料タンク（１６）内の肥料をポンプ（３１，３１）を用いて圧送しながら地中に施肥する歩行型施肥機において、前記肥料タンク（１６）の下方にポンプ（３１，３１）への分岐配管部（３４）を設け、該分岐配管部（３４）に屈曲自在なドレンホース（３５）を連結すると共に、このドレンホース（３５）を起立姿勢（Ｃ）にした時、その先端の排出口（３５ａ）が肥料タンク（１６）上部の肥料投入口（１６ａ）よりも高くなるように構成したことを特徴とする歩行型施肥機。
【発明の詳細な説明】
【技術分野】
【０００１】
本発明は、走行機体の側方に設けた施肥ノズルを地中に進入させて（打ち込んで）肥料を施肥する畑作用の歩行型施肥機に関する。
【背景技術】
【０００２】
従来、一般的な畑作用の歩行型施肥機においては、走行機体の上部に肥料タンクを設けると共に、走行機体の側方に昇降駆動する施肥ノズルを備えており、この施肥ノズルが地中に進入した時、肥料タンク内の流動性肥料を繰出ポンプを介して圧送することによって、当該肥料を所定の間隔で点状に施肥できるように構成したものが知られている（例えば、特許文献１参照）。
【特許文献１】特開２００５−１３７３０２号公報（第３−５頁、図１−図３）
【発明の開示】
【発明が解決しようとする課題】
【０００３】
そして、上述した従来のものでは、走行機体前部の低い位置に繰出ポンプを設置すると共に、この繰出ポンプの下部にドレンホースを取付けてあり、通常はドレンホースの吐出口にキャップを装着した状態で、その先端側を上方に向けた起立姿勢で係止固定できるようになっている。
【０００４】
ところが、メンテナンス作業や施肥作業終了時に肥料タンク内に残っている流動性肥料を抜き取る際、ドレンホースが走行機体の低い位置にあるので、作業者は、中腰またはしゃがみ込んでの無理な姿勢で作業を行わなければならず、またドレンホースの吐出口からキャップを取り外した瞬間に流動性肥料が飛び散り易く、この飛び散った流動性肥料が作業の手指や衣服にかかるといった不具合を有していた。
【課題を解決するための手段】
【０００５】
本発明は、上記課題を解決することを目的としたものであって、走行機体の側方に昇降駆動する施肥ノズルを備え、この施肥ノズルを地中に進入させた時、走行機体の上部に設けた肥料タンク内の肥料をポンプを用いて圧送しながら地中に施肥する歩行型施肥機において、前記肥料タンクの下方にポンプへの分岐配管部を設け、該分岐配管部に屈曲自在なドレンホースを連結すると共に、このドレンホースを起立姿勢にした時、その先端の排出口が肥料タンク上部の肥料投入口よりも高くなるように構成したことを特徴としている。
【発明の効果】
【０００６】
本発明によれば、走行機体の上部に設けた肥料タンクの下方にポンプへの分岐配管部を設け、該分岐配管部に屈曲自在なドレンホースを連結することによって、このドレンホースを走行機体の高い位置、即ち作業者の腰部程度の高さに設けることができるので、メンテナンス作業や施肥作業終了時に肥料タンク内に残っている肥料を抜き取る際、作業者は、中腰またはしゃがみ込むことなく無理のない楽な姿勢で作業を行うことができる共に、屈曲自在なドレンホースを起立姿勢にすれば、その先端の排出口が肥料タンク上部の肥料投入口よりも高くなるように構成したので、前記ドレンホースの起立姿勢状態においては、当該ドレンホースの吐出口からキャップを取り外した瞬間に肥料が飛び散ることはなく、肥料が作業者の手指や衣服にかかるといった従来の不具合を解消できる。
【発明を実施するための最良の形態】
【０００７】
次に、本発明の実施の形態を図面に基づいて説明する。図１及び図２は、畑作用の圃場に施肥を行う歩行型施肥機の走行機体１１を示す側面図と平面図であって、走行機体１１は、左右の一対の走行車輪１２，１２を備える機体フレーム１３の前部にエンジン１４を搭載すると共に、該エンジン１４の上部に設けた肥料受け板１５上に液肥等の肥料を充填する肥料タンク１６、及び燃料タンク１７を配設している。
【０００８】
そして、機体フレーム１３の最前部には、安全フレームとしてのバンパー１８を設けている。一方、機体フレーム１３の後端部には、左右一対の尾輪１９を装着すると共に、その上方に立設した支持フレーム２０に左右の操作ハンドル２１Ｌ，２１Ｒを螺設している。
【０００９】
また、エンジン１４の後方には、ミッションケース２２が設けてあり、このミッションケース２２の下部に軸支した左右の走行車輪１２にエンジン１４の駆動力を伝達する一方、ミッションケース２２上部の図示しない出力軸から出力した駆動力を、当該ミッションケース２２後方の伝動ケース２３に内装した動力伝達部２４を介して、走行機体１１の側方に設けた施肥ノズル２５，２５に伝達している。
【００１０】
そして、施肥ノズル２５，２５は、スライダクランク機構２６を介して側方ガイド板２７の案内溝２７ａに沿って昇降駆動するように構成してある。即ち、前記スライダクランク機構２６は、伝動ケース２３の上部に設けたクランク軸２８と、このクランク軸２８の両端に連結したクランクアーム２９と、該クランクアーム２９に連結した連結ロッド３０等を備え、更に該連結ロッド３０の先端に施肥ノズル２５を装着すると共に、当該施肥ノズル２５が地中に進入して下死点位置に達した時、連動して肥料を圧送（排出）することができるポンプ３１，３１を備えている。
【００１１】
更に詳しくは、ポンプ３１，３１は、自給式のプランジャ型吐出ポンプであって、施肥ノズル２５，２５が地中に進入して下死点位置に達し、且つ同時にクランク軸２８に設けた図示しないカムの回転によって上下揺動するアーム３２がプランジャ軸３３の頭部３３ａを押し下げた時、ポンプ３１，３１のシリンダ内の肥料を圧送する一方、施肥ノズル２５，２５が上昇して上死点位置に至る過程で、ポンプ３１、３１に内挿した図示しない圧縮スプリングの戻し作用によってプランジャ軸３３が上昇し、それに伴って肥料タンク１６内の肥料を当該ポンプ３１、３１のシリンダ内に吸入することができる構造になっている。
【００１２】
また、肥料タンク１６の下方には、ポンプ３１，３１への分岐配管部を構成するサクションターミナル３４を設けると共に、このサクションターミナル３４の終端には、蛇腹構造により屈曲自在なドレンホース３５を連結している。そして、サクションターミナル３４から分岐させたホース３６，３６をポンプ３１，３１下部の肥料吸入口に連結すると共に、当該ポンプ３１，３１上部の肥料送出口と施肥ノズル２５，２５の上端とをホース３７，３７を介して連結している。
【００１３】
また、ドレンホース３５は、図２に二点鎖線で示す施肥作業時の収納位置Ａと、実線で示すドレン抜き作業時の作業位置Ｂとに切換え可能に構成している。更に、作業位置Ｂにあるドレンホース３５を図３に示す如く上方に向けて屈曲させて起立姿勢Ｃにした時、その先端の排出口３５ａが肥料タンク１６上部の肥料投入口１６ａよりも図中ｈほど高くなるように構成している。
【００１４】
上述したドレンホース３５は、走行機体１１の高い位置、即ち作業者の腰部程度の高さに設けることができるので、メンテナンス作業や施肥作業終了時に肥料タンク１６内に残っている肥料を抜き取る際、作業者は、中腰またはしゃがみ込むことなく無理のない楽な姿勢で作業を行うことができる共に、屈曲自在なドレンホース３５を起立姿勢Ｃにすれば、その先端の排出口３５ａが肥料タンク１６上部の肥料投入口１６ａよりも高くなり、前記ドレンホース３５の起立姿勢状態Ｃにおいては、当該ドレンホース３５の吐出口３５ａからキャップ４１を取り外した瞬間に肥料が飛び散ることはなく、肥料が作業者の手指や衣服にかかるといった従来の不具合を解消できる。尚、図中符号４２は、肥料タンク１６上部の肥料投入口１６ａを塞ぐ蓋である。
【００１５】
また、上述したように、メンテナンス作業や施肥作業終了時に肥料タンク１６内に残っている肥料を抜き取る際、図４に示す如くドレンホース３５の起立姿勢状態Ｃにおいて、その吐出口３５ａに密着嵌挿可能な差込口４５ａを備えた肥料回収袋４５を用いれば、ドレンホース３５と肥料回収袋４５を図示するように起立姿勢状態Ｃからゆっくりと倒すだけで、肥料回収袋４５内に肥料を簡単に回収することができると共に、当該肥料を再利用する際の取扱い性が向上する。
【図面の簡単な説明】
【００１６】
【図１】歩行型施肥機の側面図。
【図２】歩行型施肥機の一部省略平面図。
【図３】図１におけるＣ矢視図。
【図４】肥料回収袋を用いた肥料回収方法を示す一部省略背面図。
【符号の説明】
【００１７】
１１    走行機体
１６    肥料タンク
１６ａ  肥料投入口
２５    施肥ノズル
３１    ポンプ
３４    分岐配管部
３５    ドレンホース
３５ａ  排出口
Ｃ      起立姿勢
【図１】
2008278808.tif 000003
【図２】
2008278808.tif 000004
【図３】
2008278808.tif 000005
【図４】
2008278808.tif 000006